(57)【要約】【課題】金属製クリップ本体と金属製天冠部との一体感により優れた外観性を得るとともに、金属製クリップ本体と金属製天冠部を備えたにもかかわらず組立が容易となり、製造コストを安価に抑えることが可能な筆記具を提供する。【解決手段】クリップ３が、クリップ本体４と、玉部５と、取付基部６と、天冠部７とを備え、クリップ本体４、玉部５、取付基部６、及び天冠部７が金属材料から一体に形成される。玉部５がクリップ本体４の先端部裏面に設けられる。取付基部６がクリップ本体４の後端部裏面に設けられ且つ筒体２に取り付けられる。天冠部７が取付基部６から後方に連設され且つ筒体２の天面２１を覆う。【選択図】  図３
0003146370.tif 000002
【実用新案登録請求の範囲】
【請求項１】
筒体の外面にクリップが取り付けられた筆記具であって、前記クリップが、クリップ本体と、前記クリップ本体の先端部裏面に設けられる玉部と、前記クリップ本体の後端部裏面に設けられ且つ筒体に取り付けられる取付基部と、前記取付基部から後方に連設され且つ筒体の天面を覆う天冠部とを備え、前記クリップ本体、前記玉部、前記取付基部、及び前記天冠部が金属材料から一体に形成されてなることを特徴とする筆記具。
【請求項２】
筒体の外面にクリップが取り付けられた状態において、クリップの天冠部が筒体の天面に圧接される請求項１記載の筆記具。
【請求項３】
天冠部が板状であり、且つ、天冠部の裏面が周縁部より中央部が凹状に窪んだ形状を有する請求項２記載の筆記具。
【考案の詳細な説明】
【技術分野】
【０００１】
本考案は、筆記具に関する。詳細には、キャップや軸筒等の筒体にクリップが取り付けられた筆記具に関する。
【背景技術】
【０００２】
従来のこの種の筆記具に関して、特許文献１には、リング状固定部を備えた金属製のクリップと、前記リング状固定部に挿入される天冠とを筒体（軸筒もしくはキャップ）に固定するクリップ取付構造が開示されている。
【０００３】
【特許文献１】特開１１−４２８８８号公報
【考案の開示】
【考案が解決しようとする課題】
【０００４】
前記従来のクリップ取付構造は、クリップと天冠とが別部品からなるため、組立が煩雑となり、製造コストを安価に抑えることが困難である。また、前記従来のクリップ取付構造では、クリップと天冠の両者を金属材料から形成した場合、取付部の寸法ばらつきを吸収できず、安定したクリップの固定を得ることができない。そのため、実際には天冠が合成樹脂から形成されている。
【０００５】
本考案は、前記従来の問題点を解決するものであって、金属製クリップ本体と金属製天冠部との一体感により優れた外観性を得るとともに、金属製クリップ本体と金属製天冠部を備えたにもかかわらず組立が容易となり、製造コストを安価に抑えることが可能な筆記具を提供しようとするものである。
【課題を解決するための手段】
【０００６】
（構成１）
本考案は、筒体２の外面にクリップ３が取り付けられた筆記具であって、前記クリップ３が、クリップ本体４と、前記クリップ本体４の先端部裏面に設けられる玉部５と、前記クリップ本体４の後端部裏面に設けられ且つ筒体２に取り付けられる取付基部６と、前記取付基部６から後方に連設され且つ筒体２の天面２１を覆う天冠部７とを備え、前記クリップ本体４、前記玉部５、前記取付基部６、及び前記天冠部７が金属材料から一体に形成されてなること（構成１）を要件とする。
【０００７】
前記構成１によれば、金属製クリップ本体４と金属製天冠部７との一体感により優れた外観性を得る。また、前記構成１によれば、クリップ本体４、玉部５、取付基部６、及び天冠部７が金属材料から一体に形成されてなることにより、金属製クリップ本体４と金属製天冠部７を備えたにもかかわらず組立が容易となり、製造コストを安価に抑えることができる。さらに、前記構成１によれば、天冠部７を取付基部６から後方に連設したことにより、クリップ本体４の開閉作動に連動して天冠部７が動くことがない。尚、前記クリップ本体４、前記玉部５、前記取付基部６、及び前記天冠部７は、金属材料の折り曲げ加工により一体に形成されることが好ましい。尚、筒体２の天面２１とは、筒体２がキャップの場合、閉塞側の端面を指し、筒体２が軸筒の場合、ペン先と反対側の端面を指す。
【０００８】
（構成２）
また、前記構成１において、筒体２の外面にクリップ３が取り付けられた状態において、クリップ３の天冠部７が筒体２の天面２１に圧接されること（構成２）が好ましい。
【０００９】
構成１において、天冠部７が単に筒体２の天面２１を覆う構成では、クリップ３の形状ばらつきにより、天冠部７と筒体２の天面２１との間に大きな隙間が生じ、見栄えを損ねるおそれがある。しかし、前記構成２によれば、天冠部７と天面２１とを圧接させることにより、クリップ３の形状ばらつきを吸収し、天冠部７と筒体２の天面２１との間に大きな隙間が生じるおそれがない。尚、前記構成２において、天冠部７と取付基部６裏面とのなす角度は、筒体２に取り付ける前の方が、筒体２に取り付けた後よりも予め小さく設定されることが好ましい。それにより、クリップ３を筒体２に取り付けた際、金属材料のバネ性を利用して、筒体２の天面２１に天冠部７を容易に圧接させることができる。
【００１０】
（構成３）
更に、前記構成２において、天冠部７が板状であり、且つ、天冠部７の裏面が周縁部より中央部が凹状に窪んだ形状を有すること（構成３）が好ましい。
【００１１】
前記構成３により、天冠部７の周縁部と筒体２の天面２１とが確実に圧接され、天冠部７の周縁部と筒体２の天面２１との間に隙間が生じることを回避し、一層、見栄えを損ねるおそれがない。
【考案の効果】
【００１２】
請求項１の筆記具によれば、金属製クリップ本体と金属製天冠部との一体感により優れた外観性を得るとともに、金属製クリップ本体と金属製天冠部を備えたにもかかわらず組立が容易となり、製造コストを安価に抑えることができる。また、クリップ本体の開閉作動に連動して天冠部が動くことがない。
【００１３】
請求項２の筆記具によれば、クリップの形状ばらつきを吸収し、天冠部と筒体の天面との間に大きな隙間が生じるおそれがない。
【００１４】
請求項３の筆記具によれば、天冠部の周縁部と筒体の天面との間に隙間が生じることを回避し、一層、見栄えを損ねるおそれがない。
【考案を実施するための最良の形態】
【００１５】
図１乃至図５に本考案の実施の形態を示す。
本考案の筆記具１は、有底筒状のキャップよりなる筒体２と、該筒体２の後端部外面に取り付けられるクリップ３とからなる。前記クリップ３は、クリップ本体４と、前記クリップ本体４の先端部の裏面に一体に形成される玉部５と、前記クリップ本体４の後端部の裏面に一体に形成され且つ筒体２に取り付けられる取付基部６と、前記取付基部６から後方に一体に連設され且つ筒体２の天面２１を覆う天冠部７とからなる。
【００１６】
筒体２の後端部外面には、取付凸部２２が一体に形成される。前記筒体２の天面２１は、傾斜カット面状に形成される。前記天面２１の取付凸部２２側の端部が側面視で鈍角となり、前記天面２１の取付凸部２２側と反対側の端部が側面視で鋭角となる。また、前記天面２１の周縁部には周壁２３が一体に突設される。前記周壁２３の取付凸部２２側には、切り欠き部２４が形成される。前記筒体２は、合成樹脂（例えば、ポリプロピレン、ポリカーボネイト等）の成形体から得られる。
【００１７】
前記クリップ３は、金属製（例えばステンレス鋼製）板材を打ち抜き加工した後、折り曲げ加工により、クリップ本体４、天冠部７、取付基部６、及び玉部５の各々が一体に形成される。
【００１８】
前記天冠部７は、円板状の天板部７１と、該天板部７１と取付基部６の後端との間を連結する板状の連結部７２とからなる。前記天冠部７が、筒体２の傾斜カット面状の天面２１に圧接され該天面２１を覆う。前記天冠部７には孔７３が貫設され、前記孔７３を通して、インキ色に着色された筒体２の天面２１の色を視認することができる。さらに、前記孔７３のデザイン形状により、外観性が向上する。
【００１９】
前記周壁２３により前記天冠部７の天板部７１の周縁部が包囲される。それにより、天冠部７が、天面２１からはみ出すことなく、確実に天面２１の中央に配置され、天面２１との天冠部７の径方向のずれが防止される。また、前記切り欠き部２４に、天冠部７の連結部７２が収容され、一層、天冠部７と天面２１との圧接が確実となる。
【００２０】
前記天冠部７の裏面は、周縁部より中央部が凹状に窪んだ形状を有する。それにより、天冠部７の周縁部と筒体２の天面２１とが確実に圧接され、天冠部７の周縁部と筒体２の天面２１との間に隙間が生じることが回避され、一層、見栄えを損ねるおそれがない。
【００２１】
前記取付基部６は、クリップ本体４の先端の左右に形成された二つの側片を折り曲げ加工することにより箱型形状に形成される。前記取付基部６の裏面には、山形の食いつき係止部６１が形成される。前記食いつき係止部６１が取付凸部２２の側面に食いつき係止される。
【００２２】
前記玉部５は、クリップ本体４の先端部の左右に形成された二つの側片を、クリップ本体４の裏面方向に折り曲げ形成することにより、クリップ本体４の先端部裏面に突設される。
【図面の簡単な説明】
【００２３】
【図１】本考案の筆記具の実施の形態の筒体にクリップが取り付けられた状態を示す正面図である。
【図２】図１の側面図である。
【図３】図２の縦断面図である。
【図４】図１のクリップの筒体に取り付ける前の状態を示す側面図である。
【図５】図４のクリップの背面図である。
【符号の説明】
【００２４】
１  筆記具
２  筒体
２１  天面
２２  取付凸部
２３  周壁
２４  切り欠き部
３  クリップ
４  クリップ本体
５  玉部
６  取付基部
６１  食いつき係止部
７  天冠部
７１  天板部
７２  連結部
７３  孔
【図１】
0003146370.tif 000003
【図２】
0003146370.tif 000004
【図３】
0003146370.tif 000005
【図４】
0003146370.tif 000006
【図５】
0003146370.tif 000007